(57)【要約】      （修正有）【課題】Ｔ１０型ランプの口金を受け入れるソケットに対して異種寸法のＡランプとＢランプの交換ができるランプアダプタを提供する。【解決手段】絶縁ブロック３０の一端面３４に嵌入孔３２を設け、嵌入孔３２の底面と絶縁ブロック３０の他端面との間にＡランプ１８の接続ピン２２を挿入する第１の貫通孔３８とＢランプ２４の接続ピン２８を挿入する第２の貫通孔４０とを設けた。第１の貫通孔３８内および第２の貫通孔４０内に導電部材を設けた。第１の貫通孔３８のいずれか一方の貫通孔内の導電部材と第２の貫通孔４０のいずれか一方の貫通孔内の導電部材とを導通状態にする第１の接続部材と第１の貫通孔３８のいずれか他方の貫通孔内の導電部材と第２の貫通孔４０のいずれか他方の貫通孔内の導電部材とを導通状態にする第２の接続部材とを設けた。絶縁ブロック３０の他端面側に補助の接続ピン４８を設け、絶縁ブロック３０の他端面を遮蔽する蓋板５０を設けた。【選択図】図１
0003185792.tif 000002
【実用新案登録請求の範囲】
【請求項１】
Ｔ１０型ランプの口金を受け入れるソケットに対して、長さがＴ１０型ランプより短尺で、かつ口金の一対の接続ピンのピン間隔が１０型ランプのピン間隔と同じである構造のＡランプと長さがＴ１０型ランプより短尺で、かつ口金の一対の接続ピンのピン間隔が１０型ランプのピン間隔より小さい構造のＢランプのいずれも取付可能にするランプアダプタであって、
絶縁ブロックの一端面に、前記Ａランプの口金と前記Ｂランプの口金のいずれも嵌入できる口径の嵌入孔が設けられ、
前記絶縁ブロックの他端面と前記嵌入孔の底面との間に、
前記Ａランプの接続ピンを挿入する一対の第１の貫通孔と前記Ｂランプの接続ピンを挿入する一対の第２の貫通孔とを９０度変位させた状態で設けると共に、前記一対の各第１の貫通孔内に周方向と長さ方向に延びる一対の第１の導電部材を設け、前記一対の各第２の貫通孔内に周方向と長さ方向に延びる第２の導電部材を設け、
前記一対の第１の導電部材のいずれか一方と前記一対の第２の導電部材のいずれか一方とを導通状態にすることができる第１の接続部材と、前記一対の第１の導電部材のいずれか他方と前記一対の第２の導電部材のいずれか他方とを導通状態にすることができる第２の接続部材とを設け、
前記一対の第１の貫通孔の、前記絶縁ブロックの他端面側の開口に補助の接続ピンを取付けると共に、前記補助の接続ピンを外方に貫通させた状態で前記絶縁ブロックの他端面を遮蔽する蓋板を設けたことを特徴とするランプアダプタ。
【請求項２】
請求項１に記載のランプアダプタにおいて、
前記絶縁ブロックは、
円柱状の樹脂体の一端面に前記嵌入孔が形成され、同樹脂体の他端面がほぼ平坦面とされ、
前記他端面と前記嵌入孔の底面との間に、前記一対の第１の貫通孔のいずれか一方の貫通孔と前記一対の第２の貫通孔のいずれか一方の貫通孔とこれらの貫通孔を連通する第１の連通孔と、前記一対の第１の貫通孔のいずれか他方の貫通孔と前記一対の第２の貫通孔のいずれか他方の貫通孔とこれらの貫通孔を連通する第２の連通孔とをそれぞれ設けた状態で成型されたものであることを特徴とするランプアダプタ。
【請求項３】
請求項１又は２に記載のランプアダプタにおいて、
前記導電部材と前記接続部材とを、１枚の平板の両端縁を湾曲成形して両端縁を管状部分とし、中間を平坦部分とすることにより一体構成としたことを特徴とするランプアダプタ。
【請求項４】
請求項１乃至３のいずれかに記載のランプアダプタにおいて、
前記第１の貫通孔の開口周面および前記第２の貫通孔の開口周面をテーパ形状としたことを特徴とするランプアダプタ。
【請求項５】
請求項１乃至４のいずれかに記載のランプアダプタにおいて、
前記蓋板は、前記絶縁ブロックの端面に接着剤により接着されていることを特徴とするランプアダプタ。
【請求項６】
以下の構成を備えたランプアダプタ。
（１）Ｔ１０型ランプのソケットに差し込むための一対の補助の接続ピンを備える。
（２）上記補助の接続ピンは、第１の導電部材に差し込まれて電気接続される。
（３）一枚の帯状の導体の両端を筒状に丸めて、一方に上記第１の導電部材を形成し、他方に第２の導電部材を形成している。
（４）２枚の上記帯状の導体が、絶縁ブロックに設けた孔に差し込まれる。
（５）上記絶縁ブロックの一端面側には、Ｔ５型ランプとＴ６型ランプのいずれも受け入れることができる嵌入孔が設けられている。
（６）上記絶縁ブロックの他端面側には、蓋板が接着される。
（７）上記蓋板は、上記一対の補助の接続ピンを挿通させる通孔を備えている。
（８）上記補助の接続ピンには、膨出部が設けられている。
（９）上記膨出部が上記蓋板と上記絶縁ブロックの他端面に挟まれることにより、上記補助の接続ピンが位置決め固定される。
（１０）上記一対の第１の導電部材は、上記絶縁ブロックに設けた一対の第１の貫通孔に挿入される。上記一対の第１の導電部材は、上記第１の貫通孔を通じてＴ６型ランプの接続ピンを受け入れる間隔に配置されている。
（１１）上記一対の第２の導電部材は、上記絶縁ブロックに設けた一対の第２の貫通孔に挿入される。上記一対の第２の導電部材は、上記第２の貫通孔を通じてＴ５型ランプの接続ピンを受け入れる間隔に配置されている。
（１２）上記絶縁ブロックの嵌入孔の底面には、上記一対の第１の貫通孔と上記一対の第２の貫通孔とが開口している。
（１３）上記一対の帯状の導体は、上記絶縁ブロックの他端面側から上記絶縁ブロックの内部に差し込むことができ、上記絶縁ブロックの嵌入孔側に脱落しないように上記孔が構成されている。
【請求項７】
請求項６に記載のランプアダプタにおいて、
上記絶縁ブロックの嵌入孔側に、上記一対の第１の貫通孔と上記一対の第２の貫通孔とが開口し、他の部分を塞ぐ蓋板が接着固定されていることを特徴とするランプアダプタ。
【請求項８】
請求項１乃至７のいずれかに記載のランプアダプタにおいて、
上記絶縁ブロックの嵌入孔に上記Ｔ５型ランプとＴ６型ランプのいずれかを受け入れたときに、上記嵌入孔と上記ランプの口金との間に挟み込まれてその隙間を埋める弾性体を設けたことを特徴とするランプアダプタ。
【考案の詳細な説明】
【技術分野】
【０００１】
本考案は、直管形蛍光灯のＴ１０型ランプの口金を受け入れるソケットに、例えばＴ５型ランプとＴ６型ランプのいずれも取付可能にするランプアダプタに関する。
【背景技術】
【０００２】
図６の（ａ）はＴ１０型ランプ、（ｂ）はＴ６型ランプ、（ｃ）はＴ５型ランプをそれぞれ示す説明図である。現在国内で多用されているＴ１０型ランプは、図６（ａ）に示すように、全長Ｌ１が１１９８ｍｍ、管径Ｄ１が３２．５ｍｍ、口金１４の一対の接続ピン１５のピン間隔Ｃ１が１３ｍｍのものである。
【０００３】
一方、主に国外で製造されているスリム型のＴ６型ランプは、図６（ｂ）に示すように、全長Ｌ２が１１４９ｍｍ、管径Ｄ２が２０ｍｍ、口金２０の一対の接続ピン２２のピン間隔Ｃ２が１３ｍｍのものである。ピン間隔Ｃ２は、Ｔ１０型ランプのピン間隔Ｃ１と同等である。
【０００４】
また、同様にスリム型のＴ５型ランプは、全長Ｌ３がＴ６型ランプの全長Ｌ２と同等の１１４９ｍｍ、管径Ｄ３が１５．５ｍｍ、口金２６の一対の接続ピン２８のピン間隔Ｃ３が５ｍｍである。
【０００５】
このため、Ｔ１０型ランプの口金１４を受け入れるソケット１６には、Ｔ６型ランプやＴ５型ランプをそのまま取り付けることができない。
【０００６】
そこで、Ｔ１０型ランプの口金を受け入れるソケットにＴ６型ランプ等を取付けられるようにするアダプタを使用する技術が開発されている（例えば、特許文献１、特許文献２を参照）。
【先行技術文献】
【特許文献】
【０００７】
【特許文献１】実用新案登録第３１５８４６９号公報
【特許文献２】特開２０１２−１２８９６５号公報
【考案の概要】
【考案が解決しようとする課題】
【０００８】
しかしながら、従来のこの種のアダプタは、例えば、Ｔ６型ランプ専用やＴ５型ランプ専用のものである。従って、製造メーカーは常に２種のアダプタの在庫を保有する必要があった。なお、Ｔ６型ランプとＴ５型ランプを兼用できるアダプタの開発されているが、構造が複雑でコストアップの原因になる。
【０００９】
上記の課題を解決するために、本考案は次のようなランプアダプタを提供することを目的とする。すなわち、Ｔ１０型ランプの口金を受け入れるソケットに対して、長さがＴ１０型ランプより短尺で、かつ口金のピン間隔が１０型ランプのピン間隔と同じである構造のランプ（以下この種類のランプをＡランプと呼ぶ）と、長さがＴ１０型ランプより短尺で、かつ口金のピン間隔が１０型ランプのピン間隔より小さい構造のランプ（以下この種類のランプをＢランプと呼ぶ）の、いずれのランプも取付可能にするランプアダプタである。しかも、構造が簡潔で安価に堅牢に製造できる特徴を有するものである。
【課題を解決するための手段】
【００１０】
以下の構成はそれぞれ上記の課題を解決するための手段である。
〈構成１〉
Ｔ１０型ランプの口金を受け入れるソケットに対して、長さがＴ１０型ランプより短尺で、かつ口金の一対の接続ピンのピン間隔が１０型ランプのピン間隔と同じである構造のＡランプと、長さがＴ１０型ランプより短尺で、かつ口金の一対の接続ピンのピン間隔が１０型ランプのピン間隔より小さい構造のＢランプの、いずれのランプも取付可能にするランプアダプタであって、絶縁ブロックの一端面に、前記Ａランプの口金と前記Ｂランプの口金のいずれも嵌入できる口径の嵌入孔が設けられ、前記絶縁ブロックの他端面と前記嵌入孔の底面との間に、前記Ａランプの接続ピンを挿入する一対の第１の貫通孔と前記Ｂランプの接続ピンを挿入する一対の第２の貫通孔とを、貫通孔間を結ぶ線が互いにほぼ９０度変位した状態で設けると共に、前記一対の各第１の貫通孔内に周方向と長さ方向に延びる一対の第１の導電部材を設け、前記一対の各第２の貫通孔内に周方向と長さ方向に延びる第２の導電部材を設け、前記一対の第１の導電部材のいずれか一方と前記一対の第２の導電部材のいずれか一方とを導通状態にすることができる第１の接続部材と、前記一対の第１の導電部材のいずれか他方と前記一対の第２の導電部材のいずれか他方とを導通状態にすることができる第２の接続部材とを設け、前記一対の第１の貫通孔の、前記絶縁ブロックの他端面側の開口に補助の接続ピンを取付けると共に、前記補助の接続ピンを外方に貫通させた状態で前記絶縁ブロックの他端面を遮蔽する蓋板を設けたことを特徴とするランプアダプタ。
【００１１】
〈構成２〉
構成１に記載のランプアダプタにおいて、前記絶縁ブロックは、円柱状の樹脂体の一端面に前記嵌入孔が形成され、同樹脂体の他端面がほぼ平坦面とされ、前記他端面と前記嵌入孔の底面との間に、前記一対の第１の貫通孔のいずれか一方の貫通孔と前記一対の第２の貫通孔のいずれか一方の貫通孔とこれらの貫通孔を連通する第１の連通孔と、前記一対の第１の貫通孔のいずれか他方の貫通孔と前記一対の第２の貫通孔のいずれか他方の貫通孔とこれらの貫通孔を連通する第２の連通孔とをそれぞれ設けた状態で成型されたものであることを特徴とするランプアダプタ。
【００１２】
〈構成３〉
構成１又は２に記載のランプアダプタにおいて、前記導電部材と前記接続部材とを、１枚の平板の両端縁を湾曲成形して両端縁を管状部分とし、中間を平坦部分とすることにより一体構成としたことを特徴とするランプアダプタ。
【００１３】
〈構成４〉
構成１乃至３のいずれかに記載のランプアダプタにおいて、前記第１の貫通孔の開口周面および前記第２の貫通孔の開口周面をテーパ形状としたことを特徴とするランプアダプタ。
【００１４】
〈構成５〉
構成１乃至４のいずれかに記載のランプアダプタにおいて、前記蓋板は、前記絶縁ブロックの端面に接着剤により接着されていることを特徴とするランプアダプタ。
【００１５】
〈構成６〉
以下の構成を備えたランプアダプタ。
（１）Ｔ１０型ランプのソケットに差し込むための一対の補助の接続ピンを備える。
（２）補助の接続ピンは、第１の導電部材に差し込まれて電気接続される。
（３）一枚の帯状の導体の両端を筒状に丸めて、一方に第１の導電部材を形成し、他方に第２の導電部材を形成している。
（４）２枚の帯状の導体は、絶縁ブロックに設けた孔に差し込まれる。
（５）絶縁ブロックの一端面側には、Ｔ５型ランプとＴ６型ランプのいずれも受け入れることができる嵌入孔が設けられている。
（６）絶縁ブロックの他端面側には、蓋板が接着される。
（７）蓋板は、上記一対の補助の接続ピンを挿通させる通孔を備えている。
（８）上記補助の接続ピンには、膨出部が設けられている。
（９）上記膨出部が蓋板と絶縁ブロックの他端面に挟まれることにより、補助の接続ピンが位置決め固定される。
（１０）一対の第１の導電部材は、絶縁ブロックに設けた一対の第１の貫通孔に挿入される。一対の第１の導電部材は、Ｔ６型ランプの接続ピンを受け入れる間隔に配置されている。
（１１）一対の第２の導電部材は、絶縁ブロックに設けた一対の第２の貫通孔に挿入される。一対の第２の導電部材は、Ｔ５型ランプの接続ピンを受け入れる間隔に配置されている。
（１２）絶縁ブロックの嵌入孔の底面では、一対の第１の貫通孔と一対の第２の貫通孔とが開口している。
（１３）一対の帯状の導体は、絶縁ブロックの他端面側から絶縁ブロックの内部に差し込むことができ、絶縁ブロックの嵌入孔側に脱落しないように上記孔が構成されている。
＜構成７＞
構成６に記載のランプアダプタにおいて、
上記絶縁ブロックの嵌入孔側に、上記一対の第１の貫通孔と上記一対の第２の貫通孔とが開口し、他の部分を塞ぐ蓋板が接着固定されていることを特徴とするランプアダプタ。
＜構成８＞
構成１乃至７のいずれかに記載のランプアダプタにおいて、
上記絶縁ブロックの嵌入孔に上記Ｔ５型ランプとＴ６型ランプのいずれかを受け入れたときに、上記嵌入孔と上記ランプの口金との間に挟み込まれてその隙間を埋める弾性体を設けたことを特徴とするランプアダプタ。
【考案の効果】
【００１６】
〈構成１の効果〉
数多くの既存のＴ１０型ランプの口金を受け入れるソケットに対する、異種寸法のランプの交換を簡単かつ安価に行うことができる。
〈構成２の効果〉
形状が単純であり安価に製造できる。
〈構成３の効果〉
両端縁の管状部分を導電部材とし、中間の平坦部分を接続部材として導電部材と接続部材とを一体構成とすることにより、導電部材と接続部材の加工が容易であり、絶縁ブロックへの取付けも容易である。
〈構成４の効果〉
各貫通孔に接続ピンを取付ける際に、接続ピンを開口周面がテーパ形状である各貫通孔に入れ易くなり挿入作業がスムーズにできる。
〈構成５の効果〉
絶縁ブロックへの蓋板取付けが容易である。
〈構成６の効果〉
最小限の部品構成で、絶縁ブロックの構造も単純化でき、制作が容易で堅牢な製品を提供できる。
〈構成７の効果〉
嵌入孔側に蓋板を設けて、帯状の導体の脱落を防ぐことができる。
〈構成８の効果〉
弾性体が、嵌入孔と上記ランプの口金との間に挟み込まれて絶縁ブロックと一体化させることができる。
【図面の簡単な説明】
【００１７】
【図１】実施例１のランプアダプタ１０を示す図で、（ａ）は全体構造を示す斜視図、（ｂ）は取付け状況の一部を示す概略図である。
【図２】ランプアダプタ１０の展開図である。
【図３】ランプアダプタ１０の一端面を示す斜視図である。
【図４】（ａ）はランプアダプタ１０の左側面図で、（ｂ）は右側面図である。
【図５】（ａ）はランプアダプタ１０のＡ−Ａ縦断面図、（ｂ）はＢ−Ｂ縦断面図である。
【図６】（ａ）はＴ１０型ランプ、（ｂ）はＴ６型ランプ、（ｃ）はＴ５型ランプをそれぞれ示す説明図である。
【図７】実施例２のランプアダプタ１０をＴ６型ランプの口金に装着した状態を示す縦断面図である。
【考案を実施するための形態】
【００１８】
以下、本考案の実施の形態を詳細に説明する。
【実施例１】
【００１９】
図１は実施例１のランプアダプタ１０を示す図である。（ａ）は全体構造を蛍光灯のソケット１６側から見た状態を示す斜視図である。（ｂ）は蛍光灯のソケット１６にランプアダプタ１０を介してＡランプ１８を取付ける状況の一部を示す概略図である。図２はランプアダプタ１０の全部品を外した状態の展開図である。図３はランプアダプタ１０を図１の反対側から見た状態を示す斜視図である。図４の（ａ）はランプアダプタ１０の左側面図である。（ｂ）はランプアダプタ１０の右側面図である。図５の（ａ）は、ランプアダプタ１０の、図４（ａ）に示したＡ−Ａ線に沿う縦断面図である。（ｂ）はランプアダプタ１０の、図４（ａ）に示したＢ−Ｂ線に沿う縦断面図である。
【００２０】
図６（ｂ）に示すＴ６型ランプ１８は、長さがＴ１０型ランプより短尺で、かつ口金の一対の接続ピンのピン間隔Ｃ２が１０型ランプのピン間隔Ｃ１と同じである。また、図６（ｃ）に示すＴ５型ランプ２４は、長さがＴ１０型ランプより短尺で、かつ口金の一対の接続ピンのピン間隔Ｃ３が１０型ランプのピン間隔Ｃ１より小さい。本考案のランプアダプタ１０は、図６（ａ）に示したＴ１０型ランプの口金を受け入れるソケット１６に対して、図６（ｂ）に示すＴ６型ランプと図６（ｃ）に示すＴ５型ランプのいずれも取付可能にするランプアダプタである。
【００２１】
なお、ランプ１８は「Ａランプ」と呼び、Ｔ６型ランプおよびＴ６型ランプと同サイズのランプを含む。ランプ２４は「Ｂランプ」と呼び、Ｔ５型ランプおよびＴ５型ランプと同サイズのランプを含む。本考案のランプアダプタ１０によれば、数多くの既存のＴ１０型ランプ１２の口金を受け入れるソケット１６に対して、異種寸法のランプの交換を簡単かつ安価に行うことができる。
【００２２】
図１に示すように、ランプアダプタ１０は絶縁ブロック３０と蓋板５０を備えている。絶縁ブロック３０は任意の樹脂により円筒状に成形され、蓋板５０は任意の樹脂により絶縁ブロック３０とほぼ同径の円板状に成形されている。図２に示すように、蓋板５０は絶縁ブロック３０の片方の端面３６を遮蔽すると共に、補助の接続ピン４８の離脱を押える役割がある。
【００２３】
図１（ｂ）と図３に示すように、絶縁ブロック３０の一端面３４側に、Ａランプ１８の口金２０（図６（ｂ））とＢランプ２４の口金２６（図６（ｃ））のいずれも嵌入できる口径の嵌入孔３２が設けられている。絶縁ブロック３０の他端面３６は図２に示すようにほぼ平坦面とされている。
【００２４】
なお、図５（ａ）を見てわかるように、Ａランプの接続ピンを挿入する一対の第１の貫通孔３８、３８の間を結ぶ線と、Ｂランプの接続ピンを挿入する一対の第２の貫通孔４０、４０を結ぶ線とは、互いにほぼ９０度変位している。図２に示すように、一対の第１の貫通孔３８には補助の接続ピン４８とＡランプ１８の接続ピン２２（図６（ｂ））とがそれぞれ両側から挿入される。一対の第２の貫通孔４０にはＢランプ２４の接続ピン２８（図６（ｃ））が挿入される。
【００２５】
さらに、図２に示すように、一対の第１の貫通孔３８のうちの一方の貫通孔と、一対の第２の貫通孔４０のうちの一方の貫通孔との間は、スリット状の第１の連通孔５２により連通されている。一対の第１の貫通孔３８のうちの他方の貫通孔と、一対の第２の貫通孔４０のうちの他方の貫通孔の間は、スリット状の第２の連通孔５４により連通されている。
【００２６】
これら一組の孔の中に、図２の中程に示したような第１の導電部材４２と第２の導電部材４３とを挿入する。第１の導電部材４２も第２の導電部材４３も、筒状の導電体で、貫通孔の内部で周方向と長さ方向に延びている。
【００２７】
板状の第１の接続部材４４は、第１の連通孔５２内に配置される。この第１の接続部材４４は、一方の第１の導電部材４２と一方の第２の導電部材４３とを導通状態にすることができる。同様に板状の第２の接続部材４６が第２の連通孔５４内に配置されている。この第２の接続部材４６は、他方の第１の導電部材４２と他方の第２の導電部材４３とを導通状態にすることができる。
【００２８】
第１の導電部材４２と第２の導電部材４３と第１の接続部材４４もしくは第２の接続部材４６とは、それぞれ個別に構成されてもよいが、一体に構成されてもよい、すなわち、図２に示すように、１枚の平板の両端縁を湾曲成形して両端縁を管状部分とし、中間を平坦部分とする。これにより、管状部分を第１の導電部材４２および第２の導電部材４３とし、平坦部分を第１の接続部材４４もしくは第２の接続部材４６とする。導電部材と接続部材とを一体構成にすれば、導電部材と接続部材の加工が容易であり、絶縁ブロック３０への取付けも容易である。
【００２９】
図１（ａ）や図４の（ａ）と（ｂ）に示すように、絶縁ブロック３０の左側面には、２本の補助の接続ピン４８が露出している。一方、絶縁ブロック３０の右側面には、図４（ｂ）に示すように、一対の第１の貫通孔３８と第２の貫通孔４０とが露出している。第２の連通孔５４や第１の連通孔５２は絶縁ブロック３０の内部に隠れており、嵌入孔３２の底面３３側には露出していない。第１の貫通孔３８内には第１の導電部材４２が見える。第２の貫通孔４０内には第２の導電部材４３が見える。第２の連通孔５４の内部には第２の接続部材４６が収容され、第１の連通孔５２の内部には第１の接続部材４４が収容されている。
【００３０】
図５の（ａ）と（ｂ）により、絶縁ブロック３０の内部構造を確認できる。一対の第１の貫通孔３８は、絶縁ブロック３０の嵌入孔３２側と絶縁ブロックの他端面３６側に開口している。他端面３６側の開口には、補助の接続ピン４８が取付けられている。蓋板５０は、補助の接続ピン４８の先端側を外方（図の左側）に貫通させている。蓋板５０は、この状態で、絶縁ブロックの他端面３６を遮蔽している。
【００３１】
補助の接続ピン４８にはその中間部分に径方向に突出する膨出部４９が設けられている。補助の接続ピン４８が第１の貫通孔３８に挿入されたとき、同貫通孔３８の開口周面に膨出部４９が係止されて一定以上没入しないようにされている。蓋板５０には補助の接続ピン４８を挿通させる一対の通孔６０が設けられている。膨出部４９が通孔６０の周縁部に係止して補助の接続ピン４８が蓋板５０から外方に離脱しないようにされている。
【００３２】
図４（ａ）に示されたように、第１の貫通孔３８の開口周面３８Ａおよび第２の貫通孔４０の開口周面４０Ａがテーパ形状とされている。各貫通孔に接続ピンを取付ける際に、接続ピンを開口面がテーパ形状である各貫通孔に入れ易くなり挿入作業がスムーズにできる。
【００３３】
しかも、補助の接続ピン４８の膨出部４９が開口周面３８Ａに挟み込まれるので、補助の接続ピン４８は確実に位置決めされて固定される。さらに、図２に示した第１の接続部材４４で連結された導電部材と第２の接続部材４６で連結された導電部材を、図５に示した絶縁ブロック３０の左側から差し込むだけで、内部の組み立てを完了する。この後は、２本の補助の接続ピン４８を立てて蓋板５０を貼り付けるだけである。これで全ての部品が固定され一体化される。
【００３４】
蓋板５０は、絶縁ブロック３０の端面に接着剤により接着されている。接着剤で接着することにより、絶縁ブロック３０への蓋板５０の取付けが容易である。接着力が十分であれば、突起部５８は不要である。従って、部品形状もきわめて単純化できる。
【００３５】
この実施例では、絶縁ブロック３０の、平坦面をなす端面の周縁の一部に凹部５６を設け、蓋板５０の周縁の一部に凹部５６に合致する突起部５８を設けた。蓋板５０を絶縁ブロック３０の平坦面をなす端面に設置するときに、蓋板５０の突起部５８を絶縁ブロック３０の凹部５６に合致させて装着することにより、簡単に位置決めができる。凹部５６および突起部５８の形状を適宜変更することにより、突起部５８のの弾力を利用して蓋板５０を絶縁ブロック３０に接着剤を使わなくても装着することも可能である。
【００３６】
上記構造のランプアダプタ１０を使ってＴ１０型ランプの口金を受け入れるソケット１６にＡランプ１８を設置する場合は次のようにする。すなわち、Ａランプ１８の両端にそれぞれランプアダプタ１０を取り付けるが、図１（ｂ）に示すように、Ａランプ１８の口金の一対の接続ピン２２をランプアダプタ１０の第１の貫通孔３８に差込み、ランプアダプタ１０の補助の接続ピン４８をソケット１６に差し込むようにする。
【００３７】
Ａランプ１８の一対の接続ピン２２が第１の導電部材４２を介して補助の接続ピン４８に導電的に接続されるので、Ａランプ１８はＴ１０型ランプと同様の通電状態でソケット１６に設置できる。
【００３８】
また、同ソケット１６にＢランプ２４を設置する場合は、Ｂランプ２４の口金の一対の接続ピン２８をランプアダプタ１０の第２の貫通孔４０に差込み、ランプアダプタ１０の補助の接続ピン４８をソケット１６に差し込むようにする。
【００３９】
Ｂランプ２４の一対の接続ピン２８は、図２に示した第１の導電部材４２に差し込まれる。第１の導電部材４２は第１の接続部材４４や第２の接続部材４６により第２の接続部材４６と一体化している。第２の接続部材４６に補助の接続ピン４８が差し込まれているから、Ｂランプ２４もＴ１０型ランプと同様の通電状態でソケット１６に設置できる。
【実施例２】
【００４０】
図７は、実施例２のランプアダプタ１０をＴ６型ランプの口金に装着した状態を示す縦断面図である。
この図を用いて、本考案の最も低コストな実施例の構成を説明する。
（１）Ｔ１０型ランプのソケットに差し込むための一対の補助の接続ピン４８を備える。
（２）補助の接続ピン４８は、第１の導電部材４２に差し込まれて電気接続される。
（３）一枚の帯状の導体の両端を筒状に丸めて、一方に第１の導電部材４２を形成し、他方に第２の導電部材４３を形成する（図２）。
（４）２枚の帯状の導体は、絶縁ブロック３０に設けた孔に差し込まれる（図２）。
（５）絶縁ブロックの一端面３４側には、Ｔ５型ランプとＴ６型ランプのいずれも受け入れることができる嵌入孔３２が設けられている。
（６）絶縁ブロック３０の他端面３６側には、蓋板５０が接着される。
（７）蓋板５０は、上記一対の補助の接続ピン４８を挿通させる通孔６０を備えている。
（８）上記補助の接続ピン４８には、膨出部４９が設けられている。
（９）上記膨出部４９が蓋板５０と絶縁ブロック３０の他端面３６に挟まれることにより、補助の接続ピン４８が位置決め固定される。なお、この実施例では第１の導電部材４２の端面と絶縁ブロック３０の他端面３６とがほぼ同一面上にあり、第１の導電部材４２の端面も絶縁ブロック３０の他端面３６の一部を構成している。
（１０）一対の第１の導電部材４２は、一対の第１の貫通孔３８に挿入される。一対の第１の導電部材４２は、Ｔ６型ランプの接続ピンを受け入れる間隔に配置されている（図１と図２）。
（１１）一対の第２の導電部材４３は、一対の第２の貫通孔４０に挿入される。一対の第２の導電部材４３は、Ｔ５型ランプの接続ピンを受け入れる間隔に配置されている（図１と図２）。
（１２）絶縁ブロック３０の嵌入孔３２の底面３３には、一対の第１の貫通孔３８と一対の第２の貫通孔４０とが開口している（図３）。
（１３）一対の帯状の導体は、絶縁ブロック３０の他端面３６側から絶縁ブロック３０の内部に差し込むことができ、絶縁ブロック３０の嵌入孔３２側に脱落しないように上記孔が構成されている。
【００４１】
実施例２では、絶縁ブロック３０の嵌入孔３２側に、蓋板６２が接着固定されている。この蓋板６２は、図３に示すように、一対の第１の貫通孔３８と一対の第２の貫通孔４０とを開口させ、その部分には、Ａランプの接続ピン２２を受け入れるためのテーパ開口６４を設けている。従って、絶縁ブロック３０側には、簡単な構造の貫通孔３８、４０や、第１の連通孔５２、５４等を設ければよい。帯状の導体を差し込む孔全体を貫通させたほうが、絶縁ブロックの加工も容易である。また、蓋板６２によって、他の部分を塞いでおり、一対の帯状の導体が、絶縁ブロック３０の嵌入孔３２側に脱落しない。
【００４２】
また、蓋板５０の中央に設けた厚肉部分５１は、第１の連通孔５２や第２の連通孔５４に挿入された第１の接続部材４４や第２の接続部材４６を押さえつける。２枚の蓋板で貫通孔の両側から挟んで、帯状の導体のがたつきを防止できる。この構造によっても、絶縁ブロック３０全体の構造を単純化して、組み立てを容易にし、かつ、全体を堅牢な構造にすることができる。
【００４３】
また、絶縁ブロック３０の嵌入孔３２には、上記Ｔ５型ランプとＴ６型ランプのいずも受け入れることができる。図７は、Ｔ６型ランプに装着した例を示すが、ランプの口金１８には、ゴムバンドのような弾性体６６が挟み込まれている。Ｔ５型ランプの場合には、隙間が大きくなるが、その場合にも、嵌入孔３２とランプの口金との間の隙間を埋めるように、弾性体６６が挟み込まれる。弾性体６６としては、耐熱ゴムバンド等が適する。この弾性体６６は、絶縁ブロック３０とランプの口金とを一体化させる。ランプアダプタを両端に取り付けた状態で、天井のソケット１６に装着する作業も安心してできる。さらに、地震その他の振動にも強くて脱落する心配がない。
【００４４】
以上の実施例２のように構成すれば、部品点数を最小にできる。また、接続ピン４８を簡単に確実に位置決め固定できて、着脱作業でぐらつくことがない。さらに、一対の帯状の導体を、第１の貫通孔３８と第２の連通孔５４と第２の貫通孔４０とを連結した孔や、第１の貫通孔３８と第１の連通孔５２と第２の貫通孔４０とを連結した孔に差し込んで、蓋板５０を閉める。絶縁ブロック３０の嵌入孔３２側が塞がっているので、帯状の導体は外部に脱落しない。こうした構造を実現するための絶縁ブロック３０も全体として樹脂加工が簡単な構造なので、総合して、安価で堅牢なランプアダプタを実現できる。
【符号の説明】
【００４５】
１０  ランプアダプタ
１２  Ｔ１０型ランプ
１４  Ｔ１０型ランプの口金
１５  Ｔ１０型ランプの接続ピン
１６  ソケット
１８  Ａランプ
２０  Ａランプの口金
２２  Ａランプの接続ピン
２４  Ｂランプ
２６  Ｂランプの口金
２８  Ｂランプの接続ピン
３０  絶縁ブロック
３２  嵌入孔
３３  底面
３４  絶縁ブロックの一端面
３６  絶縁ブロックの他端面
３８  第１の貫通孔
３８Ａ  開口周面
４０  第２の貫通孔
４０Ａ  開口周面
４２  第１の導電部材
４３  第２の導電部材
４４  第１の接続部材
４６  第２の接続部材
４８  補助の接続ピン
４９  膨出部
５０  蓋板
５１  肉厚部
５２  第１の連通孔
５４  第２の連通孔
５６  凹部
５８  突起部
６０  通孔
６２  蓋板
６４  テーパ開口
６６  弾性体
【図１】
0003185792.tif 000003
【図２】
0003185792.tif 000004
【図３】
0003185792.tif 000005
【図４】
0003185792.tif 000006
【図５】
0003185792.tif 000007
【図６】
0003185792.tif 000008
【図７】
0003185792.tif 000009